(57)【特許請求の範囲】
【請求項１】
コンクリート躯体に立設される複数の手摺支柱と、これら手摺支柱の上部であって屋外側に延在して取り付けられる上胴縁と、これら手摺支柱の下部であって屋外側に延在して取り付けられる下枠と、前記上胴縁と前記下枠とともにフレーム形状を構成する左右の端部縦枠と、これら端部縦枠の間にあって摺動自在な少なくとも１本の中間縦枠と、前記上胴縁と前記下枠の間に介在する少なくとも２枚のパネルとから構成される持ち出し型手摺において、
中間縦枠の上部は上胴縁に懸架する接続部材を介して上胴縁に摺動可能に繋がり、中間縦枠の下部は下枠の長さ方向に延びる水平突起片を有する接続部材を介して下枠に摺動可能に繋がっていることを特徴とする持ち出し手摺。
【請求項２】
コンクリート躯体に立設される複数の手摺支柱と、これら手摺支柱の上部であって屋外側に延在して取り付けられる上胴縁と、これら手摺支柱の下部であって屋外側に延在して取り付けられる下枠と、前記上胴縁と前記下枠とともにフレーム形状を構成する左右の端部縦枠と、これら端部縦枠の間にあって摺動自在な少なくとも１本の中間縦枠と、前記上胴縁と前記下枠の間に介在する少なくとも２枚のパネルとから構成される持ち出し型手摺において、
上胴縁が下枠よりも長く、摺動自在な端部縦枠の上部は上胴縁に懸架する接続部材を介して上胴縁に摺動可能に繋がり、前記摺動自在な端部縦枠の下部は下枠の長さ方向に延びる水平突起片を有する接続部材を介して下枠に摺動可能に繋がっていることを特徴とする持ち出し手摺。
【請求項３】
左右の端部縦枠の少なくとも一方が、上胴縁と下枠の間で摺動自在に構成されていることを特徴とする請求項１又は２に記載の持ち出し型手摺。
【発明の詳細な説明】
【技術分野】
【０００１】
本発明は、可動式中間縦枠を備えた持ち出し型手摺に関するものである。
【背景技術】
【０００２】
マンションやアパート等、集合住宅のバルコニーや外廊下の外部側には、手摺が設けられている。そのような手摺として、外観上の見栄えやバルコニー／廊下の広さ確保の観点から、コンクリートスラブの鼻先の立ち上がり部に手摺用支柱を立設し、この支柱よりも外方へ突き出たブラケットを取り付けて、このブラケットに手摺壁であるパネルを、コンクリートスラブの鼻先よりも外方へ持ち出して設置する所謂「持ち出し型手摺」が多く採用されている。
【０００３】
従来、手摺を取り付ける工事に当たっては、作業者が仮設足場を組んで、バルコニーや外廊下の外側から取り付け作業を行っていたが、持ち出し型手摺の場合、外部養生ユニットを連結する壁つなぎが障害物となるため、仮設足場のない状態での持ち出し型手摺の設置が要請され、バルコニーや外廊下の内側で作業するための工夫・提案が多くなされている。
【０００４】
例えば特許文献１には、コンクリート躯体から立設された支柱と、支柱の下端近傍に固着される下枠ブラケットと、下枠ブラケットに取り付けられ支柱間に架け渡されるガラス下枠と、支柱頭部に取り付けられたガイドプレートと、ガイドプレートの先端に取り付けられたガスケット枠と、ガイドプレートの上に取り付けられた笠木受けと、笠木受けの上に取り付けられ支柱間に架け渡される笠木とから構成されるガラス持ち出し型手摺において、板ガラスの下端をガラス下枠で支持するとともに、板ガラスの上端をガスケット枠と笠木受けの一部で挟持することが提案され、笠木を取り外すことにより、上から板ガラスを落とし込んで作業をすることができ、板ガラスを横方向に移動することができ、一箇所から落とし込んだ板ガラスを左右方向に移動することで、安全に作業することができる、としている。
【０００５】
また特許文献２には、コンクリートスラブの鼻先部に構築した手摺本体の支柱に対して、ブラケットを介して、持ち出しタイプかつスラブ隠しタイプの腰壁体を連結した構成において、腰壁体を昇降可能とする摺動機構を設けることが提案されている。この摺動機構は、上下に延びるレール部材と、レール部材に摺動自在に嵌挿されたスライダーを備え、腰壁体をコンクリートスラブの支柱を境とした内側空間から外側空間へ持ち出した状態で下降させるとき、レール部材の開口部にスライダーを挿入させるように構成され、腰壁体を定位置と上方の作業位置との間で昇降することが可能となっている。
【先行技術文献】
【特許文献】
【０００６】
【特許文献１】特開２００６−３７５８９号公報
【特許文献２】特開２０１０−１４４４０３号公報
【発明の概要】
【発明が解決しようとする課題】
【０００７】
本発明の課題は、作業者が屋内側から施工作業を容易に行うことができる持ち出し型手摺の新たな構成を提案することにある。
【課題を解決するための手段】
【０００８】
上記課題は、コンクリート躯体に立設される複数の手摺支柱と、これら手摺支柱の上部であって屋外側に延在して取り付けられる上胴縁と、これら手摺支柱の下部であって屋外側に延在して取り付けられる下枠と、前記上胴縁と前記下枠とともにフレーム形状を構成する左右の端部縦枠と、これら端部縦枠の間にあって摺動自在な少なくとも１本の中間縦枠と、前記上胴縁と前記下枠の間に介在する少なくとも２枚のパネルとから構成される持ち出し型手摺において、中間縦枠の上部が上胴縁に懸架する接続部材を介して上胴縁に摺動可能に繋がり、中間縦枠の下部が下枠の長さ方向に延びる水平突起片を有する接続部材を介して下枠に摺動可能に繋がっていることによって、解決する。また、コンクリート躯体に立設される複数の手摺支柱と、これら手摺支柱の上部であって屋外側に延在して取り付けられる上胴縁と、これら手摺支柱の下部であって屋外側に延在して取り付けられる下枠と、前記上胴縁と前記下枠とともにフレーム形状を構成する左右の端部縦枠と、これら端部縦枠の間にあって摺動自在な少なくとも１本の中間縦枠と、前記上胴縁と前記下枠の間に介在する少なくとも２枚のパネルとから構成される持ち出し型手摺において、上胴縁が下枠よりも長く、摺動自在な端部縦枠の上部が上胴縁に懸架する接続部材を介して上胴縁に摺動可能に繋がり、前記摺動自在な端部縦枠の下部が下枠の長さ方向に延びる水平突起片を有する接続部材を介して下枠に摺動可能に繋がっていることによっても、上記課題は解決する。
【０００９】
左右の端部縦枠の少なくとも一方が、上胴縁と下枠の間で摺動自在に構成されていれば、好適である。
【発明の効果】
【００１０】
本発明によれば、縦枠が摺動可能であるので、フレーム状の枠体内にパネルを容易に装着することができる。
【図面の簡単な説明】
【００１１】
【図１】本発明の実施形態に係る持ち出し型手摺の側方断面図である。
【図２】図１の持ち出し型手摺の縦枠部分での、コンクリートスラブ鼻先より外側から見た正面図である。
【図３】図１の持ち出し型手摺の上から見た断面図である。
【図４】手摺の取り付け手順を説明する概略側面図である。
【図５】パネルを手摺に取り付ける手順を説明する平面図である。
【図６】最後のパネルを取り付ける際の端部縦枠の移動を説明する正面図である。
【発明を実施するための形態】
【００１２】
以下、図面に基づいて本発明の一つの実施形態に係る持ち出し型手摺の構造及びその取り付け方法を詳述する。
この手摺は、図１〜図３から分かるように、手摺支柱３と、例えば一戸のベランダ長さに相当する上胴縁６と、同じ長さの下枠５と、上胴縁、下枠とともにフレーム形状を構成する左右の端部縦枠と、上胴縁、下枠の間で摺動自在な複数の中間縦枠とを有する。
【００１３】
図１から分かるように、バルコニーや外廊下を構成するコンクリートスラブの先端である鼻先部１に相前後して構築された２本のベースポスト２に、手摺支柱３を嵌挿して取り付け固定する。これら手摺支柱３を、ベランダの長さ方向において所定の等間隔（但し、例えば図２に示すような壁際等の端部手摺支柱については他の支柱間隔よりも若干短く割り付けしておけば、壁際までパネルを延ばすことが可能である）で立設する。図３で示すように断面矩形状をした各手摺支柱３は、台座３１とこれに立設する柱部３２からなっている。図１において、これら手摺支柱３の下端近傍のベランダ側とは逆側である外面にブラケット４をリベット止めして、その先端上面に下枠５をネジ止めする一方、手摺支柱３の上端には上胴縁６を直接固着する。
【００１４】
図２に示すように、上胴縁６と下枠５の端部には、端部縦枠７が取り付けられ、両端の端部縦枠７の間には少なくとも１本の中間縦枠８、複数本の場合には均等間隔で中間縦枠８が配置されている。端部縦枠７と中間縦枠８の間、あるいは２本の中間縦枠８の間には、パネル９が取り付けられている。パネル９は、採光性を有するように、透明又は半透明の合わせガラス、強化ガラス、あるいはアクリルその他の樹脂等により形成することが可能である。そして笠木１０が上胴縁６や縦枠７，８を覆って取り付けられている。
【００１５】
上胴縁６と下枠５を手摺支柱３に組み付けた後に縦枠７，８を上胴縁６や下枠５に取り付けるに当たっては、図４から理解可能なように、端部縦枠７の端部もしくは中間縦枠８の真ん中に挿入され得る接続金具１１，１２を用いる。上側の接続金具１１は縦枠の上端に取り付けられ、下側の接続金具１２は縦枠の下端に取り付けられる。これら接続金具１１，１２の側面にはビス穴が形成され、縦枠の長手方向に形成された長穴を介してビスが嵌合している。接続金具１１，１２を上方に持ち上げてビスを締め付けて固定した後、図４ａに示すように、手摺支柱３の外側から縦枠７，８を上胴縁６や下枠５に近づけて、縦枠の下端を、上方に開放した断面コの字状下枠５に嵌め込み、しかる後に図４ｂに示すように、ビスを緩めて接続金具１１，１２を落とし込み、上側の接続金具１１のかぎ状凹部を上胴縁６の先端側の上面突起部に引っ掛けるとともに、下側の接続金具１２を断面コの字状下枠５の内側に形成されたレール部５１にセットする。このセットを安定化させ、また後述する縦枠７，８のレール部５１に沿ったずらしを容易にするために、下側の接続金具１２の下端では、図３から分かるように、水平突起片１３が延びていて、Ｌ型アングル材を形成している。
【００１６】
次に、図４ｃに示すように、笠木１０を被せて嵌合する。その後に、上胴縁６と下枠５と、端部縦枠７と中間縦枠８あるいは２つの中間縦枠８で形成される矩形フレームにパネル９を上下ケンドン式に嵌め込む。その際、中間縦枠８、あるいは最後のパネル９を嵌め込む場合には端部縦枠７を上胴縁６と下枠５の間でずらす。これを図５、図６において説明する。
【００１７】
この手摺に最初のパネル９を嵌め込む場合、図５ａに示すように、パネル９を入れる前に中間縦枠８を手摺支柱３の幅に相当する程度、ずらしておく。そしてパネル９を図４ｃのように上下ケンドン式に嵌め込み、ビス止めにより固着した端部縦枠７の方へ送る。ずらしておいた中間縦枠８を支柱センタに合わせてセットし、接続金具のビスを締め付ける。この中間枠体８を、先ほどの端部縦枠７のように基準として、図５ｂのように、２枚目以降のパネル９を同様の作業において嵌め込んで取り付ける。
【００１８】
最後のパネル９を嵌め込む場合、図５ｃ、図６ａに示すように、端部縦枠７を止めているビスを外して、この端部縦枠７を外側に広げておく。笠木１０や上胴縁６が下枠５よりも外側に延びていることと端部縦枠７の水平突起片１３とによって、端部縦枠７の脱落は防止される。しかる後、パネル９を上下ケンドン式に嵌め込み、図５ｄ、図６ｂに示すように、端部縦枠７を元の位置に戻してビスを締め直す。
【００１９】
ベランダ内側から縦枠７，８の上下端にシール１５を挿入して、縦枠７，８の内部前側に予め取り付けてある先付ビート１６との間でパネル９を固定する（図１、図３）。
【符号の説明】
【００２０】
１  コンクリートスラブ鼻先部
２  ベースポスト
３  手摺支柱
４  ブラケット
５  下枠
６  上胴縁
７  端部縦枠
８  中間縦枠
９  パネル
１０  笠木
１１  上側接続金具
１２  下側接続金具
１３  水平突起片
１５  シール
１６  先付ビート
【図１】
0005873692.tif 000002
【図２】
0005873692.tif 000003
【図３】
0005873692.tif 000004
【図４】
0005873692.tif 000005
【図５】
0005873692.tif 000006
【図６】
0005873692.tif 000007